(57)【要約】      （修正有）【課題】端末網制御装置は、そのポートに接続される機器の判定を自動で判別し、そのＤ／Ｍポートを対応した設定に切り替えることで設定ミスや時間のロスをなくす。【解決手段】端末網制御装置（ＮＣＵ）に取り付けられている５ビットポート端子／接点機器端子切り替え用のＤ／Ｍポート２において、Ｄ／Ｍポート２に接続された５ビットメータまたは接点機器を自動的に判別し、Ｄ／Ｍポート２に接続された機器用の設定に切り替える。また、有線端末網制御装置１−１ならば回線電圧を確認し、また、無線端末網制御装置ならば縁組を確認したときＤ／Ｍポート２の状態チェックを開始し、Ｄ／Ｍポート２の状態チェックを開始したら定期的にＤ／Ｍポート２の状態をチェックする。【選択図】図１
2012124557.tif 000002
【特許請求の範囲】
【請求項１】
端末網制御装置に取り付けられている５ビットポート端子／接点機器端子切り替え用のＤ／Ｍポートにおいて、前記Ｄ／Ｍポートに接続された５ビットメータまたは接点機器を自動的に判別し、前記Ｄ／Ｍポートに接続された機器用の設定に切り替えることを特徴とする端末網制御装置。
【請求項２】
有線端末網制御装置ならば回線電圧を確認し、また、無線端末網制御装置ならば縁組を確認したとき前記Ｄ／Ｍポートの状態チェックを開始することを特徴とする請求項１に記載の端末網制御装置。
【請求項３】
前記Ｄ／Ｍポートの状態チェックを開始したら定期的に前記Ｄ／Ｍポートの状態をチェックすることを特徴とする請求項１に記載の端末網制御装置。
【発明の詳細な説明】
【技術分野】
【０００１】
本発明は、ポートに接続された機器を自動的に判別する機能を搭載した端末網制御装置（以下、「ＮＣＵ」と呼ぶ。）に関する。
【背景技術】
【０００２】
従来の「ポート接続機器の判別方法」は、特許文献１に開示されているように、複数のポートのそれぞれに５ビットポートまたは接点機器ポートの機能をセンターから設定することにより、利用者の要望に合ったポート構成を実現することができる自動通報装置を提供するといった方法で行っていた。
【先行技術文献】
【特許文献】
【０００３】
【特許文献１】特開２００１−２２４０８０号公報
【発明の概要】
【発明が解決しようとする課題】
【０００４】
従来技術では、ポートに接続する機器の判定は、手動でセンターから行っていた。従来技術では、設定を手動で行っていたためにミスが発生し、また、このことにより設定に要する時間のロスが多く発生し、また、センターを接続しなければポートの切り替えできないという煩わしさも発生していた。
【課題を解決するための手段】
【０００５】
今回発明したＮＣＵは、５ビットポート端子／接点機器端子切り替えポート（以下、「Ｄ／Ｍポート」と呼ぶ。）に接続された機器がどんな機器なのかを判別し、機器が接続されているポートをその機器に対応したポートに切り替える機能を持っている。
【０００６】
本発明の端末網制御装置は、端末網制御装置に取り付けられている５ビットポート端子／接点機器端子切り替え用のＤ／Ｍポートにおいて、前記に接続された５ビットメータまたは接点機器を自動的に判別し、前記Ｄ／Ｍポートに接続された機器用の設定に切り替えることを特徴とする。
【０００７】
本発明の端末網制御装置は、さらに、有線端末網制御装置ならば回線電圧を確認し、また、無線端末網制御装置ならば縁組を確認したとき前記Ｄ／Ｍポートの状態チェックを開始することを特徴とする。
【０００８】
また、本発明の端末網制御装置は、さらに、前記Ｄ／Ｍポートの状態チェックを開始したら定期的に前記Ｄ／Ｍポートの状態をチェックすることを特徴とする。
【発明の効果】
【０００９】
本発明によれば、端末網制御装置は、Ｄ／Ｍポートに接続された機器を自動で判別し、Ｄ／Ｍポートの切り替えを行うので、設定を手動で行っていたときのミスを無くすことができる。このことにより時間のロスも同時に防ぐことができるようになる。また、センターを接続しなければポート切り替えできないという煩わしさを解消することができる。
【図面の簡単な説明】
【００１０】
【図１】図１は本発明の有線ＮＣＵ１−１がポートを検知しに行く手段を表した図である。
【図２】図２は本発明の無線ＮＣＵ１−２がポートを検知しに行く手段を表した図である。
【図３】図３はＮＣＵ１がＤ／Ｍポート２の状態をチェックしに行く方法を表した図である。
【図４】図４はＤ／Ｍポート２に５ビットメータ３が接続された状態を表した図である。
【図５】図５はＤ／Ｍポート２に接点機器４が接続された状態を表した図である。
【図６】図６はＮＣＵ１が定期的にＤ／Ｍポート２の状態をチェックしに行く方法を表した図である。
【発明を実施するための形態】
【００１１】
以下、本発明の実施の形態について図面を参照して説明する。
【実施例】
【００１２】
図１は、有線ＮＣＵ１−１がポートを検知しに行く手段を表した図である。有線ＮＣＵ１−１がポートを検知しに行く手段として有線ＮＣＵ１−１が通信する手段に用いる回線の電圧をチェックしに行く。まず始めに、有線ＮＣＵ１−１に電力が供給された時点で、有線ＮＣＵ１−１は回線の電圧をチェックしに行く。
【００１３】
次に、回線にケーブルが接続されている（回線電圧があると判断された）場合、有線ＮＣＵ１−１はＤ／Ｍポート２の状態をチェックしに行く。回線にケーブルが接続されていない場合、有線ＮＣＵ１−１はＤ／Ｍポート２の状態をチェックしに行かない。
【００１４】
図２は、無線ＮＣＵ１−２がポートを検知しに行く手段を表した図である。無線ＮＣＵ１−２がポートを検知しに行く手段として無線ＮＣＵ１−２が通信する手段に用いる縁組がされたかどうかをチェックしに行く。
【００１５】
無線ＮＣＵ１−２が縁組をしたことが確認できた場合、無線ＮＣＵ１−２はＤ／Ｍポート２の状態をチェックしに行く。無線ＮＣＵ１−２が縁組をしたことが確認できない場合、無線ＮＣＵ１−２はＤ／Ｍポート２の状態をチェックしに行かない。
【００１６】
図３は、ＮＣＵ１がＤ／Ｍポート２の状態をチェックしに行く方法を表した図である。ＮＣＵ１がＤ／Ｍポート２の状態をチェックする方法として、それぞれのＤ／Ｍポート２に５ビットの検針電文を送るようにする。ＮＣＵ１はこの５ビット検針電文に対して応答があるかないかでＤ／Ｍポート２につながれている機器を判別する。
【００１７】
図４は、Ｄ／Ｍポート２に５ビットメータ３が接続された状態を表した図である。ＮＣＵ１がそれぞれのＤ／Ｍポート２に対して５ビット検針電文を送った後、Ｄ／Ｍポート２に５ビットメータ３がつながっていたら、５ビットメータ３はＮＣＵ１に対して自身の検針値を知らせる電文を返す。
【００１８】
このように、Ｄ／Ｍポート２に接続された機器から応答があった場合は、ＮＣＵ１はＤ／Ｍポート２につながっている機器を５ビットメータ３と判別する。その後、ＮＣＵ１はそのＤ／Ｍポート２を５ビット用の設定であるＤポートに変更する。
【００１９】
図５は、Ｄ／Ｍポート２に接点機器４が接続された状態を表した図である。ＮＣＵ１がそれぞれのＤ／Ｍポート２に対して５ビット検針電文を送った後、Ｄ／Ｍポート２に接点機器４がつながっていたら、接点機器４はＮＣＵ１に対して何も応答しない。
【００２０】
このように、Ｄ／Ｍポート２に接続された機器から応答がない場合は、ＮＣＵ１はＤ／Ｍポート２につながっている機器を接点機器４と判別する。その後、ＮＣＵ１はそのＤ／Ｍポート２を接点機器用の設定であるＭポートに変更する。
【００２１】
図６は、ＮＣＵ１が定期的にＤ／Ｍポート２の状態をチェックしに行く方法を表した図である。まず始めに、ＮＣＵ１は回線電圧or縁組を確認できたらＤ／Ｍポート２の状態をチェックしに行く。
【００２２】
Ｄ／Ｍポート２の状態チェックが開始されてから、ＮＣＵ１は定期的にＤ／Ｍポートの状態をチェックしに行く。定期的に見る方法として、ＮＣＵ１が電池電圧のチェックを行うと同時に見に行く方法がある。このようにして、電池の消費を抑えながらＤ／Ｍポート２の状態チェックを定期的に行うことができる。
【産業上の利用可能性】
【００２３】
この発明は、ガスの検針分野に適用できる。
【符号の説明】
【００２４】
１  ＮＣＵ
１−１  有線ＮＣＵ
１−２  無線ＮＣＵ
２  Ｄ／Ｍポート
３  ５ビットメータ
４  接点機器
【図１】
2012124557.tif 000003
【図２】
2012124557.tif 000004
【図３】
2012124557.tif 000005
【図４】
2012124557.tif 000006
【図５】
2012124557.tif 000007
【図６】
2012124557.tif 000008